(57)【要約】    【課題】形状安定性に優れると共に当該フィルタエレメントを設置する枠体の間口寸法の変更に簡単に対応することができ、部品の共有化を図り、その種類を大幅に減らすことができるフィルタエレメントを提供すること。    【解決手段】プリーツ加工し、さらにＷ型に折り加工した濾材Ｎからなるフィルタエレメント２１において、前記濾材天地部２１ａ、２１ｂの少なくとも１つのＶ字部分Ｘに当該Ｖ字部分ＸのＶ字形状およびプリーツ形状を固定する第１端部材２２ａ、２２ｂが取り付けられると共に、前記濾材天地部２１ａ、２１ｂの前記第１端部材２２ａ、２２ｂが取り付けられていないＶ字部分Ｘおよび前記濾材端部２１ｃ、２１ｄの天地部にプリーツ形状を固定する第２端部材２３が取り付けられていることを特徴とする。  【選択図】  図１
2005205270.tif 000002
【特許請求の範囲】
【請求項１】
プリーツ加工し、さらにＷ型に折り加工した濾材からなるフィルタエレメントにおいて、前記濾材天地部の少なくとも１つのＶ字部分に当該Ｖ字部分のＶ字形状およびプリーツ形状を固定する第１端部材が取り付けられると共に、前記濾材天地部の前記第１端部材が取り付けられていないＶ字部分および前記濾材端部の天地部にプリーツ形状を固定する第２端部材が取り付けられていることを特徴とするフィルタエレメント。
【請求項２】
濾材両端部に断面略Ｌ字型の耳部が設けられていることを特徴とする請求項１記載のフィルタエレメント。
【発明の詳細な説明】
【技術分野】
【０００１】
本発明は、折り加工した濾材よりなるフィルタエレメントが枠体に着脱自在に装着される交換型フィルタに適用されるフィルタエレメントに関する。詳細には、形状安定性に優れると共に当該フィルタエレメントを設置する枠体の間口寸法の変更に簡単に対応することができ、部品の共有化を図り、その種類を大幅に減らすことができるフィルタエレメントに関する。
【背景技術】
【０００２】
従来より、折り加工した濾材よりなるフィルタエレメントが枠体に着脱自在に装着される交換型フィルタとしては、図６に示すものと図７〜図９に示すものとが知られている。
【０００３】
図６に示す交換型フィルタ１は、枠体３内部に折り加工した濾材Ｎにより複数の吹き流し形ポケット４を設けた微塵用フィルター２を構成し、該微塵用フィルター２の風上側に、取付枠３に取り付けた濾材Ｎの形状が前記微塵用フィルター２の吹き流し形ポケット４の内側面に沿って嵌り込む複数の吹き流し形ポケット４’を有してなる粗塵用フィルター５を一体に組み込んだものである（特許文献１参照）。
【０００４】
図７に示す交換型フィルタ１１は、折り加工された濾材Ｎの両端部に断面Ｌ型の耳部１２を設けたフィルタエレメント１３を前記耳部１２を受け入れる凹部１４を枠上流側左右内側面に設けた枠体１５内に取り付けたものである。この交換型フィルタ１１では、フィルタエレメント１３として、図８に示すように、プリーツ加工した濾材Ｎの天地部に断面コ字型の不織布１６を接着すると共に、前記不織布１６を所定間隔毎に交互に一方の折曲片を残して切断したものであって、切断単位毎に切断されないでおかれた折曲片を蝶番として切断された側が開閉して小さく折り畳んで取り扱うようにしたもの、あるいは図９に示すように、プリーツ加工した濾材Ｎを所定寸法で切断すると共に、各切断された濾材Ｎの幅方向端部毎交互に不織布またはプラスチック板からなる補強帯１７を接着したものであって、切断単位毎に補強板１７を蝶番として開閉して小さく折り畳んで取り扱うようにしたものを用いている（特許文献２参照）。
【特許文献１】実開昭６４−２１７２７号公報
【特許文献２】特開平７−１１２１０７号公報
【発明の開示】
【発明が解決しようとする課題】
【０００５】
ところが、図６に示す交換型フィルタ１にあっては、フィルタエレメント（粗塵用フィルター５）が開口全幅に渡って固定されているため、高風量でも型くずれがし難く形状安定性に優れる反面、当該フィルタエレメント（粗塵用フィルター５）を取り付ける枠体３の上流側の間口寸法の変更に対応することができず、当初定めた開口寸法を有する枠体専用となってしまうという不具合があった。
【０００６】
一方、図７〜図９に示す交換型フィルタにおけるフィルタエレメント１３にあっては、不織布１６からなる折曲片または補強板１７を蝶番として開閉して小さく折り畳んで取り扱うことができ、枠体１５の間口寸法の変更に簡単に対応できるという優位性を持つが、反面当該フィルタエレメント１３の形状が可変であるため、形状安定性に劣るという欠点があった。特に最近の空調機器の傾向として、フィルタエレメント自体に薄型化が要求される場合、薄くしかも高風量でも形状安定性に優れるという要件を満足するものでなければならず、形状安定性の向上は、交換型フィルタにおけるフィルタエレメントとして重要な課題であった。
【０００７】
本発明は、上記技術的課題に鑑みなされたものであり、形状安定性に優れると共に当該フィルタエレメントを設置する枠体の間口寸法の変更に簡単に対応することができ、部品の共有化を図り、その種類を大幅に減らすことができるフィルタエレメントを提供することを目的とするものである。
【課題を解決するための手段】
【０００８】
上記目的を達成するため、請求項１記載の発明は、プリーツ加工し、さらにＷ型に折り加工した濾材からなるフィルタエレメントにおいて、前記濾材天地部の少なくとも１つのＶ字部分に当該Ｖ字部分のＶ字形状およびプリーツ形状を固定する第１端部材が取り付けられると共に、前記濾材天地部の前記第１端部材が取り付けられていないＶ字部分および前記濾材端部の天地部にプリーツ形状を固定する第２端部材が取り付けられていることを特徴とするフィルタエレメントをその要旨とした。
【０００９】
請求項２記載の発明は、濾材両端部に断面略Ｌ字型の耳部が設けられていることを特徴とするフィルタエレメントをその要旨とした。
【発明の効果】
【００１０】
本発明のエレメントにあっては、濾材天地部の少なくとも１つのＶ字部分に当該Ｖ字部分のＶ字形状およびプリーツ形状を固定する第１端部材が取り付けられると共に、前記濾材天地部の前記第１端部材が取り付けられていないＶ字部分および前記濾材端部の天地部にプリーツ形状を固定する第２端部材が取り付けられていることから、形状安定性に優れると共に当該フィルタエレメントを設置する枠体の間口寸法の変更に簡単に対応することができ、部品の共有化を図り、その種類を大幅に減らすことができる。
【発明を実施するための最良の形態】
【００１１】
以下、本発明のフィルタエレメント（以下、単にエレメントと称す。）を図面に従って詳細に説明する。図１〜図５に示すように、本発明のエレメント２１は、不織布、紙、ガラス繊維紙など、折り加工後の形状が容易に崩れない程度の保形性を持つ濾材Ｎをプリーツ加工（一次折り加工）し、さらにＷ型に折り加工（二次折り加工）したものである。
【００１２】
図１および図２に示すように、濾材Ｎをプリーツ加工（一次折り加工）し、さらにＷ型に折り加工（二次折り加工）したエレメント２１には、二次折り加工により形成された折り山と折り山との間に複数のＶ字部分Ｘが形成される。
【００１３】
折り加工したエレメント２１は、これを両端部方向にそれぞれ広げたり、折り畳んだりすることで、折り山と折り山との間隔が広がったり、狭くなったりし、これに伴い複数のＶ字部分Ｘの形状も、浅く広いＶ字形状となったり、深く狭いＶ字形状となったりする。
【００１４】
本発明のエレメント２１では、濾材天地部２１ａ、２１ｂの少なくとも１つのＶ字部分Ｘに当該Ｖ字部分ＸのＶ字形状およびプリーツ形状を固定する第１端部材２２ａ、２２ｂが取り付けられている。
【００１５】
第１端部材２２ａ、２２ｂは、樹脂を含浸した不織布やプラスチック板、金属板など、プリーツ形状および二次折り加工により形成されたＶ字形状を保持するために必要な剛性を有し、かつ非通気性または濾材Ｎに比べて圧力損失が高いシート材ならば何でも良い。
【００１６】
また、この第１端部材２２ａ、２２ｂは、折り加工された濾材天地部２１ａ、２１ｂの形状固定すべきＶ字部分Ｘの形状に対応して、Ｖ字形状（図５）、平行四辺形状（図３）、台形状（図２および図４）といった形状に裁断または成形されている。
【００１７】
第１端部材２２ａ、２２ｂの濾材天地部２１ａ、２１ｂへの取り付けは、接着剤を介して行うほか、濾材天地部２１ａ、２１ｂの形状固定すべきＶ字部分Ｘにホットメルト樹脂を塗布しておき、加熱加圧することで、両者を一体化することもできる。
【００１８】
一方、濾材天地部２１ａ、２１ｂの前記第１端部材２２ａ、２２ｂが取り付けられていないＶ字部分Ｘおよび前記濾材端部２１ｃ、２１ｄの天地部にプリーツ形状を固定する第２端部材２３が取り付けられている。
【００１９】
第２端部材２３には、第１端部材２２ａ、２２ｂと同じく樹脂を含浸した不織布やプラスチック板、金属板など、プリーツ形状を保持するために必要な剛性を有し、かつ非通気性または濾材Ｎに比べて圧力損失が高いシート材が用いられる。
【００２０】
この第２端部材２３は、プリーツ形状に折り加工された濾材天地部２１ａ、２１ｂの形状に対応して、略長方形状に裁断または成形されており、第１端部材２２ａ、２２ｂと同じく接着剤等により、濾材天地部２１ａ、２１ｂに取り付けられている。
【００２１】
上記の如く、第１端部材２２ａ、２２ｂおよび第２端部材２３を濾材天地部２１ａ、２１ｂに取り付けたエレメント２１は、第１端部材２２ａ、２２ｂを取り付けたＶ字部分Ｘのプリーツ形状およびＶ字形状が固定され、高風圧によっても容易に変形しないように保持されるようになっている。
【００２２】
また、第２端部材２３を取り付けた濾材端部２１ｃ、２１ｄおよび第１端部材２２ａ、２２ｂが取り付けられていないＶ字部分Ｘについては、プリーツ形状のみが固定され、Ｖ字形状は固定されていない。
【００２３】
このため、第２端部材２３を取り付けた濾材端部２１ｃ、２１ｄおよび第１端部材２２ａ、２２ｂが取り付けられていないＶ字部分Ｘについては、自由に開閉できるようになっている。
【００２４】
図１および図２に示す形態は、１次折り加工および２次折り加工により形成された濾材天地部２１ａ、２１ｂにおける５つのＶ字部分Ｘのうち、中央の３つのＶ字部分Ｘに第１端部材２２ａ、２２ｂが取り付けられ、その３つのＶ字部分Ｘからなる略台形をなす形状およびプリーツ形状が固定されると共に、第２端部材２３を取り付けてプリーツ形状が固定された濾材端部２１ｃ、２１ｄが、図２中矢印で示すように自由に開閉動できるようになっている。
【００２５】
図３に示す形態は、１次折り加工および２次折り加工により形成された濾材天地部２１ａ、２１ｂにおける５つのＶ字部分Ｘのうち、左端のＶ字部分Ｘを除く４つのＶ字部分Ｘに第１端部材２２ａ、２２ｂが取り付けられ、その４つのＶ字部分Ｘからなる略平行四辺形をなす形状およびプリーツ形状が固定されると共に、第２端部材２３を取り付けてプリーツ形状が固定された濾材端部２１ｃが、図３中矢印で示すように自由に開閉動できるようになっている。
【００２６】
図４に示す形態は、１次折り加工および２次折り加工により形成された濾材天地部２１ａ、２１ｂにおける５つのＶ字部分Ｘのうち、右側の３つのＶ字部分Ｘに第１端部材２２ａ、２２ｂが取り付けられ、３つのＶ字部分Ｘからなる略台形をなす形状およびプリーツ形状が固定されると共に、濾材端部２１ｃおよび第１端部材２２ａ、２２ｂが取り付けられていないＶ字部分Ｘをなす濾材天地部２１ａ、２１ｂに第２端部材２３が取り付けられて、当該部分におけるプリーツ形状が固定されており、これにより第２端部材２３を取り付けた部分が、図４中矢印で示すように自由に開閉動できるようになっている。
【００２７】
図５に示す形態は、１次折り加工および２次折り加工により形成された濾材天地部２１ａ、２１ｂにおける５つのＶ字部分Ｘのうち、中央の１つのＶ字部分Ｘに第１端部材２２ａ、２２ｂが取り付けられ、そのＶ字部分ＸにおけるＶ字形状およびプリーツ形状が固定されると共に、濾材端部２１ｃおよび第１端部材２２ａ、２２ｂが取り付けられていないＶ字部分Ｘをなす濾材天地部２１ａ、２１ｂに第２端部材２３が取り付けられて、当該部分におけるプリーツ形状が固定されており、これにより第２端部材２３を取り付けた部分が、図５中矢印で示すように自由に開閉動できるようになっている。
【００２８】
このように、本発明のエレメント２１にあっては、第１端部材２２ａ、２２ｂが取り付けられた部分のＶ字形状およびプリーツ形状が固定されて、高風圧によっても容易に変形しないように保持されるようになっている。一方、第２端部材２３が取り付けられた部分については、プリーツ形状のみが固定されて、自由に開閉動することができ、当該エレメント２１が装着される枠体２４の間口寸法の変更に簡単に対応できるようになっている。
【００２９】
また、本発明のエレメント２１の濾材両端部２１ｃ、２１ｄには断面略Ｌ字型の耳部２５が設けられている。耳部２５は、上記第１端部材２２ａ、２２ｂおよび第２端部材２３と同じく樹脂を含浸した不織布やプラスチック板など、使用時の風圧や取り扱い時に加わる外力によっても、その形状が容易に崩れない程度の剛性を有し、かつ非通気性または濾材Ｎに比べて圧力損失が高いシート材が用いられる。
【００３０】
図２に示す耳部２５は、その先端が下流側向きとなるように設けられており、枠材２４の開口寸法に合わせて、当該エレメント２１の開閉可能な濾材両端部を広げ、この濾材両端部２１ｃ、２１ｄに設けた断面略Ｌ字型の耳部２５先端を枠体２４の上流側の左右内側面に設けたスリット状の溝からなる凹部２４ａ内に差し込むことで、エレメント２１の装着がなされるようになっている。
【００３１】
枠体２４に装着した後、エレメント２１は、これに運転時の風圧が加わっても、第１端部材２２ａ、２２ｂが取り付けられた部分については、そのＶ字形状およびプリーツ形状が第１端部材２２ａ、２２ｂによって固定されているので、風圧による変形を生じにくくなっている。
【００３２】
また、運転時の風圧が加わることで、該エレメント２１は下流側に押され、これにより、濾材両端部２１ｃ、２１ｄの耳部２５は、その力で凹部２４ａの内壁に密接し、濾材両端部２１ｃ、２１ｄと枠体２４との間には隙間が生じにくくなり、エアーリークの発生が防止されるようになる。
【００３３】
尚、本発明のエレメントは、上述の図面に示したものに限らず、例えば図２に示すように、１次折り加工し、さらに２次折り加工した濾材Ｎの幅方向端部２１ｅ（Ｖ字部分の頂点に当たる箇所）毎交互に、不織布またはプラスチック板からなる補強帯を接着して、開閉時に加わる力によっても幅方向端部２１ｅが容易に破損しないようにするなど、特許請求の範囲に記載された範囲で自由に変更することができる。
【図面の簡単な説明】
【００３４】
【図１】本発明のエレメントを示す斜視図。
【図２】本発明のエレメントを枠体に装着したときの状態を示す平面図。
【図３】本発明のエレメントにおける第１端部材および第２端部材の一取付状態を示す平面図。
【図４】本発明のエレメントにおける第１端部材および第２端部材の別の取付状態を示す平面図。
【図５】本発明のエレメントにおける第１端部材および第２端部材のさらに別の取付状態を示す平面図。
【図６】従来の交換型フィルタを示す斜視図。
【図７】従来の別の交換型フィルタを示す平面図。
【図８】図７に示す交換型フィルタに装着されるエレメントを示す斜視図。
【図９】図７に示す交換型フィルタに装着される別のエレメントを示す斜視図。
【符号の説明】
【００３５】
２１  ・・・エレメント
２１ａ、２１ｂ・・・濾材天地部
２１ｃ、２１ｄ・・・濾材両端部
２２ａ、２２ｂ・・・第１端部材
２３・・・第２端部材
２４・・・枠体
２４ａ・・・凹部
２５・・・耳部
Ｎ・・・濾材
Ｘ・・・Ｖ字部分
【図１】
2005205270.tif 000003
【図２】
2005205270.tif 000004
【図３】
2005205270.tif 000005
【図４】
2005205270.tif 000006
【図５】
2005205270.tif 000007
【図６】
2005205270.tif 000008
【図７】
2005205270.tif 000009
【図８】
2005205270.tif 000010
【図９】
2005205270.tif 000011